(57)【要約】【課題】ハウジングと、該ハウジング内の後部に配置されるミラーと、ハウジングよりも下方の視界を得るべくハウジング内に収容されるプリズムとを備える車両用ドアミラー装置において、ハウジングを複数部材で構成してハウジング構成部材の成形およびプリズムの組付けを容易とした上で、ハウジングの組付けも容易とする。【解決手段】椀状のハウジング主体１５と、該ハウジング主体１５に結合されるカバー１６とでハウジングが構成され、ハウジング主体１５の第１窓に入射面を臨ませるとともにカバー１６の第２窓６４に出射面６１を臨ませるプリズム１４がハウジングに収容され、プリズム１４およびハウジングがブラケット１８に取付けられ、カバー１６のブラケット１８への取付け方向に延びてブラケット１８に突設されるガイド突部５５，５６を嵌合させるガイド凹部５７，５８がカバー１６に設けられる。【選択図】        図３
2007230496.tif 000002
【特許請求の範囲】
【請求項１】
ドアに取付けられるベース（１１）に支持されるハウジング（１２）と、車両の後方および側方を視認すべく該ハウジング（１２）内の後部に配置されるミラー（１３）と、前記ハウジング（１２）よりも下方の視界を得るべく入射面（６０）を下方に臨ませるとともに出射面（６１）を後方に臨ませて前記ハウジング（１２）内に収容されるプリズム（１４）とを備える車両用ドアミラー装置において、後方側に開口した椀状に形成されるハウジング主体（１５）と、該ハウジング主体（１５）の後部に結合されるとともに前記ミラー（１３）を配置すべきミラー配置用凹部（３７）を形成するカバー（１６）とで前記ハウジング（１２）が構成され、前記ハウジング主体（１５）に設けられた第１窓（６３）に前記入射面（６０）を臨ませるとともに前記カバー（１６）に設けられた第２窓（６４）に前記出射面（６１）を臨ませる前記プリズム（１４）が前記ハウジング（１２）に収容され、前記プリズム（１４）および前記ハウジング（１２）が、前記ベース（１１）で支持されて前記ハウジング（１２）内に収納されるブラケット（１８）に取付けられ、前記カバー（１６）の前記ブラケット（１８）への取付け方向に延びるガイド突部（５５，５６）が前記ブラケット（１８）に突設され、該ガイド突部（５５，５６）を嵌合させるガイド凹部（５７，５８）が前記カバー（１６）に設けられることを特徴とする車両用ドアミラー装置。
【請求項２】
複数の前記ガイド突部（５５，５６）の少なくとも１つに前記プリズム（１４）が取付けられることを特徴とする請求項１記載の車両用ドアミラー装置。
【発明の詳細な説明】
【技術分野】
【０００１】
本発明は、ドアに取付けられるベースに支持されるハウジングと、車両の後方および側方を視認すべく該ハウジング内の後部に配置されるミラーと、前記ハウジングよりも下方の視界を得るべく入射面を下方に臨ませるとともに出射面を後方に臨ませて前記ハウジング内に収容されるプリズムとを備える車両用ドアミラー装置に関する。
【背景技術】
【０００２】
このような車両用ドアミラー装置は、特許文献１によって知られている。
【特許文献１】特開平９−２９０６８７号公報
【発明の開示】
【発明が解決しようとする課題】
【０００３】
ところが上記特許文献１では、具体的な支持構造は開示されていないものの、一体成形されたハウジングにプリズムが取付けられている。このため、ミラーを配置する部分と、プリズムを配置する部分とを区画してハウジングを形成するとともに、プリズムの下部入射面および後部出射面をそれぞれ臨ませる窓をハウジングに設けなければならず、ハウジングの形状が複雑となり、ハウジングの成形が難しくなるだけでなくプリズムのハウジングへの組付けも難しくなる。
【０００４】
そこでハウジングを複数部材で構成して、ハウジング構成部材の成形を容易とするとともに、プリズムの組付けも容易とすることが考えられるが、その際、プリズムとの相対位置合わせを容易としてハウジングの組付けを行い得ることが望ましい。
【０００５】
本発明は、かかる事情に鑑みてなされたものであり、ハウジングを複数部材で構成してハウジング構成部材の成形およびプリズムの組付けを容易とした上で、ハウジングの組付けも容易とし得るようにした車両用ドアミラー装置を提供することを目的とする。
【課題を解決するための手段】
【０００６】
上記目的を達成するために、請求項１記載の発明は、ドアに取付けられるベースに支持されるハウジングと、車両の後方および側方を視認すべく該ハウジング内の後部に配置されるミラーと、前記ハウジングよりも下方の視界を得るべく入射面を下方に臨ませるとともに出射面を後方に臨ませて前記ハウジング内に収容されるプリズムとを備える車両用ドアミラー装置において、後方側に開口した椀状に形成されるハウジング主体と、該ハウジング主体の後部に結合されるとともに前記ミラーを配置すべきミラー配置用凹部を形成するカバーとで前記ハウジングが構成され、前記ハウジング主体に設けられた第１窓に前記入射面を臨ませるとともに前記カバーに設けられた第２窓に前記出射面を臨ませる前記プリズムが前記ハウジングに収容され、前記プリズムおよび前記ハウジングが、前記ベースで支持されて前記ハウジング内に収納されるブラケットに取付けられ、前記カバーの前記ブラケットへの取付け方向に延びるガイド突部が前記ブラケットに突設され、該ガイド突部を嵌合させるガイド凹部が前記カバーに設けられることを特徴とする。
【０００７】
また請求項２記載の発明は、請求項１記載の発明の構成に加えて、複数の前記ガイド突部の少なくとも１つに前記プリズムが取付けられることを特徴とする。
【発明の効果】
【０００８】
請求項１記載の発明によれば、ハウジングが、ブラケットに取付けられる椀状のハウジング主体と、前記ブラケットに取付けられて前記ハウジング主体の後部に結合されるカバーとで構成されるので、ハウジングを構成するハウジング主体およびカバーの成形を容易とし、プリズムの組付けも容易とすることができる。しかもプリズムが取付けられるブラケットに、カバーのブラケットへの取付け方向に延びるガイド突部が突設され、そのガイド突部を嵌合させるガイド凹部がカバーに設けられるので、プリズムに対する相対位置合わせを容易としつつ、カバーのハウジング主体への組付けを容易とすることができる。
【０００９】
また請求項２記載の発明によれば、複数のガイド突部の少なくとも１つにプリズムが取付けられるので、プリズム取付けのためにブラケットの形状を複雑化させることなく、プリズムに対してカバーを確実に位置決めすることができる。
【発明を実施するための最良の形態】
【００１０】
以下、本発明の実施の形態を、添付の図面に示した本発明の一実施例に基づいて説明する。
【００１１】
図１〜図７は本発明の一実施例を示すものであり、図１はベースに支持された状態でのドアミラー装置の斜視図、図２はミラーを省略した状態でのドアミラー装置の斜視図、図３はミラーを省略した状態でのドアミラー装置の分解斜視図、図４はカバーの斜視図、図５は図２の５−５線断面図、図６はカバー部材の下部の一部を内面側から見た斜視図、図７は図２の７−７線拡大断面図である。
【００１２】
先ず図１において、このドアミラー装置は、たとえば乗用車両の助手席側のドア（図示せず）に取付けられるベース１１に支持されるハウジング１２と、車両の後方および側方を視認すべく該ハウジング１２内の後部に配置されるミラー１３と、前記ハウジング１２よりも下方の視界を得るべく前記ハウジング１２内に収容されるプリズム１４とを備えるものであり、前記ハウジング１２は、前記ドア側に収納される収納位置ならびに前記ドアから突出した突出位置との間で回動可能である。
【００１３】
図２および図３を併せて参照して、前記ハウジング１２は、合成樹脂により後方側に開口した椀状に形成されるハウジング主体１５と、該ハウジング主体１５の後部に結合されるカバー１６とで構成される。前記ベース１１は、前記ドアの外方側に突出する支持腕部１１ａを一体に有するものであり、前記ハウジング主体１５には、前記ベース１１側に延びて前記支持腕部１１ａの上方に配置される腕部１５ａが一体に設けられる。しかも前記支持腕部１１ａには、支軸（図示せず）が立設されるものであり、その支軸をハウジング１２内に突入させるための貫通孔１７がハウジング主体１５に設けられる。而して前記支軸で回動可能に支承されるブラケット１８が前記ハウジング１２内に収容され、このブラケット１８に前記ハウジング１２が取付けられる。しかもブラケット１８には、該ブラケット１８および前記ハウジング１２を収納位置および突出位置間で回動駆動するための電動モータを含む回動駆動手段１９が設けられる。
【００１４】
前記ハウジング１２が前記ドアから突出した突出位置にある状態で、前記ハウジング主体１５の前記腕部１５ａとは反対側には、前部から側部を経て後部に至る取付け用切欠き２０が設けられ、ウインカ２１がそのレンズ２２を前記取付け用切欠き２０に臨ませるようにしてハウジング主体１５の内面側に取付けられる。すなわち前記ウインカ２１は２つの被締結部２１ａ，２１ｂを有しており、一方の被締結部２１ａは、前記ブラケット１８に設けられる挿通孔２３に挿通されるねじ部材２４によって、前記取付け用切欠き２０の下方でハウジング主体１５の内面に突設された取付けボス２５に締結されるものであり、ブラケット１８との共締めでハウジング主体１５に締結される。また他方の被締結部２１ｂは、ハウジング主体１５の上部の略中央部に突設された取付けボス２６にねじ部材２７で締結される。
【００１５】
ところでブラケット１８の後方側には、前記ミラー１３を上下および左右に傾動せしめるためのアクチュエータ２８のアクチュエータケース２９が配置されており、このアクチュエータケース２９を収容する収容凹部３０がミラー１３側に開口するようにしてブラケット１８に設けられ、アクチュエータケース２９の周方向に間隔をあけた３箇所に設けられた取付け支持部３１…が、ねじ部材３２…によってブラケット１８に締結される。しかも前記アクチュエータケース２９の後方には、前記ミラー１３を保持するためのミラーホルダ３３が配置されており、このミラーホルダ３３は、上下および左右の傾動を可能としてアクチュエータケース２９に支持され、前記アクチュエータ２８およびミラーホルダ３３は、前記アクチュエータ２８が発揮する駆動力によって前記上下および左右に前記ミラーホルダ３３を傾動せしめるように連結される。
【００１６】
また前記ミラーホルダ３３は、前記アクチュエータケース２９に設けられた３つの前記取付け支持部３１…のうち１つの取付け支持部３１を後方から覆うように形成されており、ミラーホルダ３３で前方から覆われた１つの前記取付け支持部３１をアクチュエータケース２９に締結するためのねじ部材３２をドライバで回転操作することを可能とした操作用貫通孔３４がミラーホルダ３３に設けられる。
【００１７】
図４を併せて参照して、前記カバー１６は、前記ハウジング主体１５の後部開口縁に嵌合される合成樹脂製のバイザー３８と、該バイザー３８に組付けられる合成樹脂製のカバー部材３９とから成り、このカバー１６には、ミラー１３を配置すべきミラー配置用凹部３７が形成される。
【００１８】
前記バイザー３８は、横断面略Ｕ字状に形成されてハウジング主体１５の後部開口縁の全周に嵌合される嵌合縁部３８ａと、前記ハウジング主体１５の略上半部内側面に対向して嵌合縁部３８ａに連なる内側壁部３８ｂと、内側壁部３８ｂのうちドア側の部分から内方に張り出して上下に延びる受け鍔部３８ｃと、該受け鍔部３８ｃとは反対側で前記内側壁部３８ｂの上下方向中間部から内方に突出される第１取付け板部３８ｄと、前記内側壁部３８ｂの上部の幅方向中間部から内方に突出される第２取付け板部３８ｅと、前記内側壁部３８ｂの下部の幅方向中間部から内方に突出される一対の係合部３８ｆ，３８ｆとを一体に有し、第１および第２取付け板部３８ｄ，３８ｅには挿通孔４０，４１が設けられる。
【００１９】
一方、カバー部材３９は、前記ハウジング主体１５の後部開口の下部を塞ぐようにして上下に延びる後部平板部３９ａと、該後部平板部３９ａよりも前方に配置されて上下に延びるとともに前記アクチュエータケース２９の一部を配置するための開口部４２を有する前部平板部３９ｂと、後部平板部３９ａの上端および前部平板部３９ｂの下端間を直角に連結する連結板部３９ｃとを一体に有する。而して前記バイザー３８における内側壁部３８ｂの前後方向の長さは、前記カバー部材３９の周縁部の前後方向位置に対応して設定されるものであり、バイザー３８が一体に備える前記受け鍔部３８ｃおよび一対の取付け板部３８ｄ，３８ｅにカバー部材３９の周縁部が後方側から当接される。
【００２０】
而して前記ミラー用配置部３７は、カバー１６における前部平板部３９ｂおよび連結板部１６ｃと、バイザー３８の上部とで形成される。
【００２１】
またカバー部材３９における後部平板部３９ａの幅方向中間部には、相互に間隔をあけた一対の係合爪３９ｄ，３９ｄが突設されており、それらの係合爪３９ｄ…を前記バイザー３８が備える一対の係合部３８ｆ…にそれぞれ係合し、バイザー３８の前記受け鍔部３８ｃおよび一対の取付け板部３８ｄ，３８ｅにカバー部材３９の周縁部を後方側から当接せしめることにより、図４で示すように、バイザー３８およびカバー部材３９を仮に組付けておくことができ、仮組状態のバイザー３８およびカバー部材３９が前記ブラケット１８および前記ハウジング主体１５に結合される。
【００２２】
前記開口部４２の周囲で前記カバー部材３９の前部平板部３９ｂには、前記バイザー３８が備える第１取付け板部３８ｄの挿通孔４０に対応した第１取付け孔４３と、前記受け鍔部３８ｃよりも下方位置に対応した第２取付け孔４４と、前記バイザー３８が備える第２取付け板部３８ｅの挿通孔４１に対応した第３取付け孔４５と、第１取付け孔４３の上方に配置される第４取付け孔４６とが設けられる。
【００２３】
而して第１取付け孔４３および第１取付け板部３８ｄの挿通孔４０に挿通されるねじ部材４７がブラケット１８に設けられた取付けボス１８ａに締結され、第２取付け孔４４に挿通されたねじ部材４８が前記取付けボス１８ａとの間に前記開口部４２を挟む位置でブラケット１８に設けられた取付けボス１８ｂに締結される。また第３取付け孔４５および第２取付け板部３８ｅの挿通孔４１に挿通されたねじ部材４９は、前記ブラケット１８の上部に設けられた挿通孔５０に挿通され、前記ウインカ２１を締結するようにしてハウジング主体１５の上部内面に突設された取付けボス２６に隣接した位置でハウジング主体１５の内面に突設された取付けボス５１に締結される。さらに第４取付け孔４６に挿通されたねじ部材５２は、前記ブラケット１８の上部に設けられた挿通孔５３に挿通され、前記取付け用切欠き２０の上方でハウジング主体１５の内面に突設された取付けボス５４に締結される。
【００２４】
ところで前記ブラケット１８には、前記バイザー３８および前記カバー部材３９から成るカバー１６のブラケット１８への取付け方向に沿って後方に延びる一対のガイド突部５５，５６が一体に突設されており、カバー１６のカバー部材３９における連結壁部３９ｃには、それらのガイド突部５５，５６を前方側から嵌合させるガイド凹部５７，５８が前方側に開放して設けられる。これにより仮組状態にあるカバー１６を、締結状態にあるブラケット１８およびハウジング主体１５に組付ける際に、ブラケット１８およびハウジング主体１５へのカバー１６の相対位置合わせが容易となる。
【００２５】
図５を併せて参照して、プリズム１４は、下方に向けられた入射面６０、後方に向けられた出射面６１、ならびに入射面６０に入射した光を出射面６１側に反射する反射面６２を有するプリズム主部１４ａと、該プリズム主部１４ａの上部から左右に延びる第１および第２取付け腕部１４ｂ，１４ｃと、前記プリズム主部１４ａから斜め前方に延びる第３取付け腕部１４ｄとを一体に有して、たとえば合成樹脂により形成される。
【００２６】
このプリズム１４は、前記ハウジング主体１５の下部に設けられた第１窓６３に前記入射面６０を臨ませるとともに前記カバー１６のカバー部材３９における後部平板部３９ａに設けられた第２窓６４に前記出射面６１を臨ませるようにして前記ハウジング１２に収容されるとともに、前記ブラケット１８に取付けられる。
【００２７】
ところで、カバー部材３９における後部平板部３９ａの内面には、図６で明示するように、第２窓６４の周囲に間隔をあけて複数のリブ６５，６５…が一体に突設されており、前記プリズム１４におけるプリズム主部１４ａの出射面６１側の端部外周には、無端状に連なる突部１４ｄが一体に突設されており、その突部１４ｄが複数の前記リブ６５，６５…に当接することで、第２窓６４に対する出射面６１の相対位置が定まる。
【００２８】
ブラケット１８が一体に備える前記両ガイド突部５５，５６の少なくとも１つ、この実施例では両ガイド突部５５，５６に、プリズム１４が一体に有する第１および第２取付け腕部１４ｂ，１４ｃが取付けられる。
【００２９】
図７において、第１取付け腕部１４ｂはガイド突部５５の下方に配置されるものであり、ガイド突部５５に一体に設けられて該ガイド突部５５の下面から下方に延びる円筒状の取付け軸部５５ａが、第１取付け腕部１４ｂに設けられた取付け孔６６に同軸に嵌挿される。しかもガイド突部５５および第１取付け腕部１４ｂ間には、前記取付け軸部５５ａの外周および取付け孔６６の内周間に介装される円筒部６７ａを一体に有する弾性グロメット６７が介装され、第１取付け腕部１４ｂの下方に配置されるとともに取付け軸部５５ａの下端に対向するワッシャ６９および第１取付け腕部１４ｂ間には取付け軸部５５ａの外周および取付け孔６６の内周間に介装される円筒部６８ａを一体に有する弾性グロメット６８が介装される。而して前記ワッシャ６９に下方から係合する係止頭部７０ａを有するねじ部材７０が、ワッシャ６９を貫通して取付け軸部５５ａに螺合され、該ねじ部材７０を締めつけることにより、プリズム１４の第１取付け腕部１４ｂに弾性グロメット６７，６８を介して取付けられる。
【００３０】
再び図３を参照して、第２取付け腕部１４ｃはガイド突部５６の下方に配置されるものであり、ガイド突部５６に一体に設けられて該ガイド突部５６の下面から下方に延びる円筒状の取付け軸部５５ａが、第２取付け腕部１４ｃに設けられた取付け孔７１に同軸に嵌挿される。而して第２取付け腕部１４ｃは、弾性グロメット７２，７３、ワッシャ７４およびねじ部材７５を用いて、第１取付け腕部１４ｂのガイド取付け腕部５５への取付け構造と同様の構造で、ガイド突部５６に取付けられる。
【００３１】
さらに第３取付け腕部１４ｄに対応してブラケット１８の下面には取付け軸部７６が一体に突設されており、この取付け軸部７６は、第３取付け腕部１４ｄに設けられた取付け孔７７に同軸に嵌挿され、弾性グロメット７８，７９、ワッシャ８０およびねじ部材８１を用いて、第１取付け腕部１４ｂのガイド取付け腕部５５への取付け構造と同様の構造で、第３取付け腕部１４ｄがブラケット１８に取付けられる。
【００３２】
次にこの実施例の作用について説明すると、ハウジング１２は、後方側に開口した椀状に形成されるハウジング主体１５と、該ハウジング主体１５の後部に結合されるとともにミラー１３を配置すべきミラー配置用凹部３７を形成するカバー１６とで構成されており、ハウジング主体１５に設けられた第１窓６３に入射面６０を臨ませるとともにカバー１６のカバー部材３９に設けられた第２窓６４に出射面６１を臨ませるプリズム１４がハウジング１２に収容され、該プリズム１４およびハウジング１２が、ドアに取付けられたベース１１で支持されてハウジング１２内に収納されるブラケット１８に取付けられているので、ハウジング１２を構成するハウジング主体１５およびカバー１６の成形を容易とし、プリズム１４の組付けも容易とすることができる。
【００３３】
しかもカバー１６のブラケット１８への取付け方向に延びるガイド突部５５，５６がブラケット１８に突設され、該ガイド突部５５，５６を嵌合させるガイド凹部５７，５８がカバー１６のカバー部材３９に設けられるので、プリズム１４に対する相対位置合わせを容易としつつカバー１６のハウジング主体１５への組付けを容易とすることができる。
【００３４】
また一対の前記ガイド突部５５，５６の少なくとも１つ、この実施例では両ガイド突部５５，５６にプリズム１４が取付けられるので、プリズム１４を取付けるためにブラケット１８の形状を複雑化させることなく、プリズム１４に対してカバー１６を確実に位置決めすることができる。
【００３５】
以上、本発明の実施例を説明したが、本発明は上記実施例に限定されるものではなく、特許請求の範囲に記載された本発明を逸脱することなく種々の設計変更を行うことが可能である。
【００３６】
たとえば上記実施例では、バイザー３８およびカバー部材３９によってカバー１６が構成されるようにしたが、バイザー３８およびカバー部材３９から成る形状を一体形成したカバーを用いるようにしてもよい。
【図面の簡単な説明】
【００３７】
【図１】ベースに支持された状態でのドアミラー装置の斜視図である。
【図２】ミラーを省略した状態でのドアミラー装置の斜視図である。
【図３】ミラーを省略した状態でのドアミラー装置の分解斜視図である。
【図４】カバーの斜視図である。
【図５】図２の５−５線断面図である。
【図６】カバー部材の下部の一部を内面側から見た斜視図である。
【図７】図２の７−７線拡大断面図である。
【符号の説明】
【００３８】
１１・・・ベース
１２・・・ハウジング
１３・・・ミラー
１４・・・プリズム
１５・・・ハウジング主体
１６・・・カバー
３７・・・ミラー配置用凹部
５５，５６・・・ガイド突部
５７，５８・・・ガイド凹部
６０・・・入射面
６１・・・出射面
６３・・・第１窓
６４・・・第２窓
【図１】
2007230496.tif 000003
【図２】
2007230496.tif 000004
【図３】
2007230496.tif 000005
【図４】
2007230496.tif 000006
【図５】
2007230496.tif 000007
【図６】
2007230496.tif 000008
【図７】
2007230496.tif 000009